(57)【要約】【課題】スタンド部５の組立て工数が削減できるようにした扇風機を提供すること。【解決手段】スタンド部５を支柱基部１６の挿嵌される支柱挿入凹部３５及び該支柱挿入凹部３５の底面に形成されて固定雄ネジ３１が挿通する雄ネジ挿通穴３９を備えた上面プレート１８と、該上面プレート１８の下側から宛われ、その際に固定雄ネジ３１が挿通する雄ネジ固定穴４６を備えたベースプレート１９と、上面プレート１８の周囲側板部に略等間隔に設けられた周囲側爪溝４２及び雄ネジ挿通穴３９の端部に複数の凹部側係合爪４４を設け、またベースプレートの周囲側板部に略等間隔に設けられた周囲側係合爪４８、雄ネジ固定穴４６の端部に複数の凹部側爪溝４７を設けた爪係合部３６により形成して、爪を係合させることによりスタンド部５の組立てができるようにする。【選択図】　　　　図２
2004116494.tif 000002
【特許請求の範囲】
【請求項１】
回転羽根を備える羽根部と、該羽根部に連結されて当該羽根部を支持する支柱部と、該支柱部を脱着可能に固定するスタンド部とを有する扇風機において、
前記スタンド部が、前記支柱部の挿嵌される支柱挿入凹部を備えた上面プレートと、
該上面プレートの下側から宛われるベースプレートと、
前記上面プレート又は前記ベースプレートの一方に複数の爪溝が設けられると共に、前記上面プレート又は前記ベースプレートの他方に前記爪溝と係合する係合爪が設けられて、前記爪溝と前記係合爪とが係合することにより前記上面プレートと前記ベースプレートとを係合する爪係合部とを有することを特徴とする扇風機。
【請求項２】
前記爪係合部が、前記上面プレートの周囲側板部に設けられた前記周囲側爪溝又は前記周囲側係合爪を備えると共に、前記支柱挿入凹部の端部に設けられた複数の凹部側係合爪又は凹部側爪溝を備え、
前記ベースプレートの周囲側板部に設けられた前記周囲側係合爪又は前記周囲側爪溝を備えると共に、前記支柱挿入凹部の端部に設けられた複数の凹部側爪溝又は凹部側係合爪を備えて、
前記周囲側爪溝と前記周囲側係合爪とが係合し、前記凹部側係合爪と前記凹部側爪溝とが係合して、前記上面プレートと前記ベースプレートとを係合させることを特徴とする請求項１記載の扇風機。
【請求項３】
前記上面プレートと前記ベースプレートとを係合させた際に、前記上面プレートの周囲側板部と前記ベースプレートの周囲側板部とが当接し、そのとき内側に位置する周囲側板部を、外側に位置する周囲側板部とで挟むように、当該外側に位置する周囲側板部に対応して環状リブを前記上面プレート又は前記ベースプレートに設けたことを特徴とする請求項２記載の扇風機。
【請求項４】
前記凹部側係合爪及び前記凹部側爪溝が、前記扇風機の正面位置から見て左右対称位置に設けられていることを特徴とする請求項１乃至３いずれか１項記載の扇風機。
【発明の詳細な説明】
【０００１】
【発明の属する技術分野】
本発明は、羽根部を支持する支柱部とスタンド部とが分解できる扇風機に係り、特にスタンド部の組立てを容易にした扇風機に関する。
【０００２】
【従来の技術】
扇風機は、羽根が回転する羽根部、該羽根部を支える支柱部、該支柱部を支持して倒れないようにするスタンド部等を主要構成としている。
【０００３】
このような、扇風機はシーズン物であるため冬場等においては収納して保管されるが、スタンド部は薄い箱状部材であるため支柱部との間にデッドスペースが形成されてしまい、大きな収納空間が必要となる。
【０００４】
ところが、近年の住宅事情等により、一般家庭で大きな収納場所を確保することが難しく、かかる事情に対応すべく、スタンド部と支柱部とが分割できるようにした構成が提案されている（特許文献１，２参照）。
【０００５】
このようなスタンド部は、例えば皿状の上面プレートとベースプレートとの２部品を主要部品として、これらが複数のネジによりネジ止して組立てられ、支柱部が上面プレートに係合すると共に、ナット止め等されて固定されるようになっている。
【０００６】
【特許文献１】
登録実用３０３８６９２号公報
【特許文献２】
登録実用３０３６７６９号公報
【０００７】
【発明が解決しようとする課題】
しかしながら、スタンド部は上面プレートとベースプレートとを複数のネジによりネジ止して組立てられるため、ネジ止めの作業工数が多くなるという問題があった。
【０００８】
そこで、本発明は、スタンド部の組立て工数が削減できるようにした扇風機を提供することを目的とする。
【０００９】
【課題を解決するための手段】
上記課題を解決するため、請求項１にかかる発明は、回転羽根を備える羽根部と、該羽根部に連結されて当該羽根部を支持する支柱部と、支柱部を脱着可能に固定するスタンド部とを有する扇風機において、スタンド部が、支柱部の挿嵌される支柱挿入凹部を備えた上面プレートと、該上面プレートの下側から宛われるベースプレートと、上面プレート又はベースプレートに複数の爪溝が設けられると共に、ベースプレート又は上面プレートに爪溝と係合する係合爪が設けられて、爪溝と爪溝とが係合することにより上面プレートとベースプレートとを係合する爪係合部とを有して、スタンド部の組立てが容易に行えるようにしたことを特徴とする。
【００１０】
請求項２にかかる発明は、爪係合部が、上面プレートの周囲側板部に設けられた周囲側爪溝又は周囲側係合爪を備えると共に、支柱挿入凹部の端部に設けられた複数の凹部側係合爪又は凹部側爪溝を備え、ベースプレートの周囲側板部に設けられた周囲側係合爪又は周囲側爪溝を備えると共に、支柱挿入凹部の端部に設けられた複数の凹部側爪溝又は雄ネジ側係合を備えて、周囲側爪溝と周囲側係合爪とが係合し、凹部側係合爪と凹部側爪溝とが係合して、上面プレートとベースプレートとを互いに宛い押え付けるだけでスタンド部の組立てが容易に行えるようにしたことを特徴とする。
【００１１】
請求項３にかかる発明は、上面プレートとベースプレートとを係合させた際に、上面プレートの周囲側板部とベースプレートの周囲側板部とが当接し、そのとき内側に位置する周囲側板部を、外側に位置する周囲側板部とで挟むように、当該外側に位置する周囲側板部に対応して環状リブを上面プレート又はベースプレートに設けて、スタンド部に撓みが生じても周囲側爪溝と周囲側係合爪との係合等が簡単に外れないようにして信頼性を高めたことを特徴とする。
【００１２】
請求項４にかかる発明は、凹部側係合爪及び凹部側爪溝が、扇風機の正面位置から見て左右対称位置に設けられて、係合箇所を少なくしながら効率的な係合を可能にしたことを特徴とする。
【００１３】
【発明の実施の形態】
本発明の実施の形態を図を参照して説明する。図１は、本発明に係る扇風機１の外観を示す斜視図であり、図２は組立て分解図である。なお、説明の都合から図１に示すように、矢印方向を正面側と記載する。
【００１４】
当該扇風機１は、羽根１１が回転する羽根部３、該羽根部３を支える支柱部４、該支柱部４を支持して扇風機１が倒れないようにするスタンド部５、羽根１１の回転速度を制御する制御部６を主要構成として、これら各部におけるケース部分は、射出成形による樹脂により形成されている。
【００１５】
羽根部３は、羽根１１、該羽根１１を回転させる図示しないモータ、羽根１１を覆う羽根カバー等により形成されている。
【００１６】
支柱部４は、羽根部３と連結されて当該羽根部３を支持する支柱１５、該支柱１５の底部をなす支柱基部１６、該支柱基部１６にネジ止めして固定される支柱底板１７等を有している。
【００１７】
スタンド部５は、概略丸皿状の上面プレート１８、該上面プレート１８と係合してスタンド部５の底をなすベースプレート１９、支柱部４とスタンド部５を固定する固定ナット２０等を有している。
【００１８】
制御部６は、支柱基部１６の表面側（以下、この表面側を適宜操作パネル２３と記載する）に取付けられた各種のスイッチ２１、支柱底板１７のボス３０に挿嵌して、当該支柱底板１７を支柱基部１６にネジ止めすることにより、支柱底板１７と支柱基部１６との間の空間内に固定される制御回路基板２２等を有している。
【００１９】
図３は、支柱部４をスタンド部５に固定した際の、ベースプレート１９の裏面図であり、図４は図３におけるＡ−Ａ断面図、図５は図３におけるＢ−Ｂ断面図を示している。
【００２０】
また、図６はスタンド部５の上面プレート１８を示す図で、図６（ａ）は裏面図、図６（ｂ）は図６（ａ）におけるＣ−Ｃ断面図である。図７はスタンド部５のベースプレート１９を示す図で、図７（ａ）は上面図、図７（ｂ）は図７（ａ）におけるＤ−Ｄ断面図である。
【００２１】
支柱部４の支柱基部１６は、スイッチ２１等が取付けられた操作パネル２３の下面側に凸設し、かつ、当該操作パネル２３の周端から適宜内側に設けられた支柱基部側板２４、操作パネル２３の底面側に形成されたネジ穴２５（図４参照）、正面側の支柱基部側板２４に形成された支柱基部突起２６、側面側の支柱基部側板２４に形成された支柱基部側板リブ２７等を有して、薄い箱状に形成されている。
【００２２】
支柱底板１７は、支柱基部１６と略同じ形状に形成された板状部材で、支柱基部突起２６と対応して設けられた支柱底板突起２８、複数のリブ２９、複数のボス３０、裏面側に凸設して設けられた固定雄ネジ３１等を有して、当該支柱底板１７は複数のネジ３２により支柱基部１６に取付けられるようになっている。
【００２３】
リブ２９は、支柱底板１７の強度補強を目的とすると共に、支柱基部側板２４が挿入される縁を形成して支柱底板１７を支柱基部１６に宛った際の位置決めが行えるようになっている。
【００２４】
ボス３０の一部は、ネジ３２が挿通する貫通穴を有し、その頂部は支柱基部１６に当接するように設けられて、ネジ３２により支柱底板１７を支柱基部１６に固定した際に、ネジ３２の締付力により当該支柱底板１７が変形するのを防止すると共に、制御回路基板２２の位置決が行えるように当該制御回路基板２２に形成された固定穴３３の位置と対応して設けられている。
【００２５】
さらに、当該ボス３０の一部は、固定雄ネジ３１を取囲み、かつ、対称性を持って設けられて、後述するように固定ナット２０を締めて支柱部４をスタンド部５に固定した際の締付力が支柱底板１７に均一に加わるようになっている。
【００２６】
スタンド部５の上面プレート１８は、略中央に形成されて支柱基部１６が挿入される支柱挿入凹部３５、周辺側板部等に形成された爪係合部３６等を主要構成としている。
【００２７】
支柱挿入凹部３５は、上端コーナに設けられた段差部３７、支柱挿入凹部３５の底板（凹部底板）４１に形成されて、固定雄ネジ３１が挿通する雄ネジ挿通穴３９、該雄ネジ挿通穴３９に連通する支柱挿入凹部３５の側板（凹部側板）４０における上端に形成されて、支柱基部側板リブ２７が挿嵌するリブ溝３８等により構成されている。
【００２８】
爪係合部３６は、上面プレート１８の周囲側板部に略等間隔に形成された複数の周囲側爪溝４２、該周囲側爪溝４２に隣接して設けられて上面プレート１８の周囲側板部が変形しないように支える周囲側板部支材５１、図６（ｂ）に示すように支柱挿入凹部３５の凹部側板４０と凹部底板４１との前面側入墨部分に形成されて支柱基部突起２６及び支柱底板突起２８が挿嵌される突起係合穴４３、リブ溝３８の下方に形成された凹部側係合爪４４（図５参照）等を有している。
【００２９】
スタンド部５のベースプレート１９は、雄ネジ挿通穴３９に対応して形成されて、周囲が上面プレート１８側に盛上げて形成された雄ネジ固定穴４６、該雄ネジ固定穴４６の外側端部に立設されて、凹部側係合爪４４と係合する凹部側爪溝４７、ベースプレート１９の周囲側板部に形成されて周囲側爪溝４２に係合する周囲側係合爪４８、該周囲側係合爪４８に対向して立設され、上面プレート１８の周囲側板部が当該周囲側係合爪４８との間で挟持する環状リブ４９、ベースプレート１９の強度補強及び周囲側板部の変形防止の作用をなす補強リブ５０等を有している。
【００３０】
このような構成で、先ず支柱部４の組み立ては、制御回路基板２２とスイッチ２１やモータ等を電気的に接続し、当該制御回路基板２２の固定穴３３の位置を支柱底板１７における所定のボス３０に当接して位置合せする。
【００３１】
そして、支柱底板１７を支柱基部１６に宛う。このとき、支柱基部側板２４が支柱底板１７の周囲に立設されたリブ２９に嵌るように宛い、支柱底板１７の下からネジ３２をボス３０の貫通穴に挿通してネジ止めする。
【００３２】
次に、スタンド部５の組立てを行う。スタンド部５の組立ては、上面プレート１８の周囲側板部をベースプレート１９の周囲側板部と環状リブ４９との間に挿入し、上面プレート１８に形成されている凹部側係合爪４４及び周囲側爪溝４２と、ベースプレート１９に形成されている凹部側爪溝４７及び周囲側係合爪４８とを位置合せして、上面プレート１８をベースプレート１９側に押さえ付けることにより係合させて組立てる。
【００３３】
このように、上面プレート１８とベースプレート１９との組立ては、ネジを用いないため、ネジ締め作業が不要になり組立工数が削減できると共に、ネジの締付力が過不足することによる不都合の発生が防止できるようになる。
【００３４】
最後に、支柱底板１７が取付けられた支柱基部１６をスタンド部５に取付ける。このとき支柱基部１６を支柱挿入凹部３５に挿入するが、その際には支柱部４を適宜正面側に傾斜させて支柱基部突起２６及び支柱底板突起２８を上面プレート１８の突起係合穴４３に挿入し、その状態で当該支柱部４の傾斜を正して（起して）、支柱基部側板リブ２７を上面プレート１８のリブ溝３８に挿嵌させる。
【００３５】
支柱基部側板２４は、操作パネル２３の周囲から適宜内側に設けられており、段差部３７は操作パネル２３の厚み分だけ低くなっているため、支柱基部１６を支柱挿入凹部３５に挿入した際には、当該操作パネル２３と上面プレート１８とが同じ高さになる。
【００３６】
このようにして支柱基部１６を支柱挿入凹部３５に挿入すると、固定雄ネジ３１は雄ネジ挿通穴３９及び雄ネジ固定穴４６を挿通して、当該雄ネジ固定穴４６から飛出すようになるので、この固定雄ネジ３１に固定ナット２０を螺合させる。
【００３７】
これにより支柱部４はスタンド部５に固定されて、扇風機１が使用可能な状態となる。
【００３８】
なお、扇風機１を収納する際には、固定ナット２０を外して、支柱部４を適宜正面側に傾斜させながら当該支柱部４を持上げることにより支柱基部突起２６及び支柱底板突起２８が突起係合穴４３から抜けて、スタンド部５と分離することが可能になる。
【００３９】
ところで、扇風機１を傾けたり倒したりすると、スタンド部５の周囲部分に扇風機１の全荷重が加わり、スタンド部５の筐体が樹脂製であるため上面プレート１８やベースプレート１９に撓みが生じることがある。
【００４０】
この撓み等の変形は、スタンド部５の周辺部分で大きくなるので、周囲側爪溝４２と周囲側係合爪４８との係合が緩み、ときには外れてしまう事態が危惧される。
【００４１】
そこで、本発明では、かかる変形を抑制すると共に、変形が生じたときでも周囲側爪溝４２と周囲側係合爪４８との係合が外れないように環状リブ４９、周囲側板部支材５１、補強リブ５０が設けられている。
【００４２】
即ち、ベースプレート１９の周囲側板部が、このような荷重により変形すると、当該ベースプレート１９の周囲側板部に対向して設けられた環状リブ４９も変形し、かつ、その変形形状はベースプレート１９の周囲側板部と同じ形状となる。
【００４３】
従って、ベースプレート１９の周囲側板部と環状リブ４９とが形成する隙間に挿入されている上面プレート１８の周囲側板部も、これと同じ形状に変形するようにベースプレート１９の周囲側板部や環状リブ４９から力を受ける。
【００４４】
これにより、周囲側爪溝４２と周囲側係合爪４８とは、共に同じように変形して係合解除が防止できるようになる。
【００４５】
無論、かかる変形が生じると、変形が生じない場合に比べ多少は係合解除が起きやすくなる。
【００４６】
そこで、周囲側板部支材５１が上面プレート１８の周囲側板部を支え、また補強リブ５０がベースプレート１９の周囲側板部を支えて（規制して）、変形の発生自体を抑制するようにしている。
【００４７】
また、凹部側爪溝４７及び凹部側係合爪４４は、固定雄ネジ３１の軸に対して正面から見て左右対称位置に設けられているため、安定した係合力が発揮されて係合箇所を少なくしながら効率的な係合が行えるようになっている。
【００４８】
これにより、扇風機１を傾けたり倒したりして、スタンド部５の周辺部分に集中荷重が加わり撓み等が発生しても周囲側爪溝４２と周囲側係合爪４８との係合が解除しなくなり、信頼性が向上する。
【００４９】
なお、上記説明では、上面プレート１８に周囲側爪溝４２、凹部側係合爪４４を形成し、ベースプレート１９に周囲側係合爪４８、凹部側爪溝４７を形成した場合について説明したが、本発明は係る構成に限定されるものではなく、逆の構成、即ち上面プレート１８に周囲側係合爪４８、凹部側爪溝４７を形成し、ベースプレート１９に周囲側爪溝４２、凹部側係合爪４４を形成してもよい。
【００５０】
また、上面プレート１８の周囲側板部がベースプレート１９の周囲側板部と環状リブ４９との間に挟まるように形成されていたが、ベースプレート１９の周囲側板部が上面プレート１８と環状リブ４９との間に挟まるように形成してもよい。但し、この場合は、環状リブ４９は上面プレート１８に形成する必要がある。
【００５１】
【発明の効果】
以上説明したように請求項１にかかる発明によれば、スタンド部を支柱基部の挿嵌される支柱挿入凹部及び該支柱挿入凹部の底面に形成されて固定雄ネジが挿通する雄ネジ挿通穴を備えた上面プレートと、該上面プレートの下側から宛われ、その際に固定雄ネジが挿通する雄ネジ固定穴を備えたベースプレートと、上面プレート又はベースプレートに複数の爪溝が設けられると共に、ベースプレート又は上面プレートに爪溝と係合する係合爪が設けられて、上面プレートとベースプレートとを係合する爪係合部とにより形成したので、スタンド部の組立てが容易になると共に信頼性が向上する。
【００５２】
請求項２にかかる発明によれば、爪係合部が、上面プレートの周囲側板部に略等間隔に設けられた周囲側爪溝又は周囲側係合爪を備えると共に、雄ネジ挿通穴の端部に設けられた複数の凹部側係合爪又は凹部側爪溝を備え、ベースプレートの周囲側板部に略等間隔に設けられた周囲側係合爪又は周囲側爪溝を備えると共に、雄ネジ固定穴の端部に設けられた複数の凹部側爪溝又は雄ネジ側係合を備えて、周囲側爪溝と周囲側係合爪とが係合し、凹部側係合爪と凹部側爪溝とが係合して、上面プレートとベースプレートとを係合させるようにしたので、上面プレートとベースプレートとを互いに宛い押えるだけでスタンド部の組立てが容易に行えるようになる。
【００５３】
請求項３にかかる発明によれば、上面プレートが皿状部材で、その周囲の縁部が側板をなして、当該側板に周囲側爪溝又は周囲側係合爪が形成され、ベースプレートが皿状部材で、その周囲の縁部が側板をなして、当該側板に周囲側係合爪又は周囲側爪溝が形成され、上面プレートとベースプレートとを係合させた際に、上面プレートの側板とベースプレートの側板とが当接し、その際に内側に位置する側板を外側に位置する側板とで挟むように、当該外側に位置する側板に対応して環状リブを上面プレート又はベースプレートに設けたので、スタンド部に撓みが生じても周囲側爪溝と周囲側係合爪との係合等が簡単に外れないようになり信頼性が向上する。
【００５４】
請求項４にかかる発明によれば、凹部側係合爪及び凹部側爪溝が、扇風機の正面位置から見て少なくとも左右位置に対称に設けたので、係合箇所を少なくしながら効率的な係合が可能になる。
【図面の簡単な説明】
【図１】本発明の実施の形態の説明に適用される扇風機の斜視図である。
【図２】扇風機の組立て分解図である。
【図３】ベースプレートから見た図である。
【図４】図３における図３におけるＡ−Ａ断面図である。
【図５】図５は図３におけるＢ−Ｂ断面図である。
【図６】上面プレートの構成図で、（ａ）は裏面図、（ｂ）は（ａ）におけるＣ−Ｃ断面図である。
【図７】ベースプレートの構成図で、（ａ）は上面図、（ｂ）は（ａ）におけるＤ−Ｄ断面図である。
【符号の説明】
１　扇風機
３　羽根部
４　支柱部
５　スタンド部
６　制御部
１５　支柱
１６　支柱基部
１７　支柱底板
１８　上面プレート
１９　ベースプレート
２０　固定ナット
２４　支柱基部側板
２６　支柱基部突起
２７　支柱基部側板リブ
２８　支柱底板突起
３１　固定雄ネジ
３５　支柱挿入凹部
３６　爪係合部
３７　段差部
３８　リブ溝
３９　雄ネジ挿通穴
４２　周囲側爪溝
４３　突起係合穴
４４　凹部側係合爪
４６　雄ネジ固定穴
４７　凹部側爪溝
４８　周囲側係合爪
４９　環状リブ
５０　補強リブ
５１　周囲側板部支材
【図１】
2004116494.tif 000003
【図２】
2004116494.tif 000004
【図３】
2004116494.tif 000005
【図４】
2004116494.tif 000006
【図５】
2004116494.tif 000007
【図６】
2004116494.tif 000008
【図７】
2004116494.tif 000009